(57)【要約】【課題】安全かつ容易に乳児が添人なしで哺乳を行うことができる乳児哺乳補助枕を提供する。【解決手段】任意素材にて所定幅の本体を形成し、枕本体に傾斜面を有する哺乳瓶ホルダーとポケットを設け、そこに接続して枕を形成するとともにその枕の一端に凸部を形成したことを特徴とする。【選択図】  図６
2005028069.tif 000002
【特許請求の範囲】
【請求項１】
任意素材にて哺乳瓶ホルダー部を有する本体を形成し、本体下部側面に頭部載置部を一体に設け、頭部載置部端に凸部を形成したことを特徴とする乳児哺乳補助枕。
【発明の詳細な説明】
【発明の詳細な説明】
【技術分野】
【０００１】  この発明は、乳児が添人なしに哺乳することができる乳児哺乳補助枕に関する。
【背景技術】
【０００２】  従来より、乳児が哺乳する際、添人を必要とするが、本発明にて示すように、添人なくして乳児が単独で哺乳する事ができる哺乳補助枕は現在のところ見当たらない。
【発明が解決しようとする課題】
【０００３】  現在は核家族化が進んできており，乳児の保護者は家事あるいは仕事をしながら育児することとなり、多忙の時などは乳児１人で粉ミルクを哺乳してくれると好都合であるが、哺乳瓶を支えることが出来ないので、哺乳の間付き添うか、タオルなどを用い、支えるしか方法がなかった。ましてや、対象の乳児に兄姉がいる場合は、その兄姉の育児も重なるので、哺乳の間付き添うということは、かなりの労力と時間が必要になる。
本発明は、以上のような育児に関わる現在の家庭事情に起因する問題を解決するために発明されたもので、乳児が添人なしに安全に哺乳することができる新規な用具を提供することを目的として開発されたものである。
【課題を解決するための手段】
【０００４】  課題を解決する手段として本発明は、所定幅の本体、哺乳瓶ホルダー部、ポケット、頭部載置部、凸部を各々設けて主要部を構成した。
すなわち、任意素材にて哺乳瓶ホルダー部、ポケットを設けた所定幅の本体を形成し、本体下部側面に頭部載置部を一体に設け、頭部載置部端に凸部を形成した。本発明は以上の構成よりなる乳児哺乳補助枕である。
【発明を実施するための最良の形態】
【０００５】  本発明を使用するには、まず中央の頭部載置部に乳児の頭部を、哺乳瓶ホルダー部が設けられた本体の方へ向くように位置させる。
そして哺乳瓶ホルダー部に哺乳瓶を横位置に載置して固定させ、哺乳させる。
哺乳瓶ホルダー部は頭部載置部に向かって傾斜しているため、哺乳瓶の内容物を空気を飲み込むことなく最後まで飲み干すことが出来、かつ、その傾斜面にはビニール製のストッパーと、哺乳瓶ホルダー部上面に伸縮性保持ベルトを設けたので、哺乳瓶が滑り落ちる可能性を極小とすることが出来る。また頭部載置部端に凸部があるため、乳児の頭部は安定する。また、ポケットを設けたため、ガーゼや哺乳瓶等を収納しておくことができる。
【実施例】
【０００６】  以下、本発明の実施例について説明する。
図において、１はスポンジ製クッション素材をやわらかな覆布でくるんだ直方体状の本体である。２は頭部載置部である。３は頭部載置部端に形成された凸部である。４は哺乳瓶ホルダー部である。哺乳瓶ホルダー部は頭部載置部に向かって傾斜するように形成された溝状の凹部で、傾斜している凹部底面の先端部と中間部の２箇所に、５のビニールシート製のストッパーが縫着され、６の伸縮性保持ベルトが哺乳瓶ホルダー部傾斜面との間に空隙部を設けるように上面に縫着されて構成されている。７は伸縮性保持ベルトに設けられたツマミである。８はポケットであり、本体側面に縫着されている。
以上が本発明の一実施例である。図７から図９は本発明の哺乳瓶ホルダー部の他例を示し、図７においては哺乳瓶の係止手段にマジックテープを用いた例を示している。図８においては係止手段にスナップボタンを用いた例を示している。図９においては係止手段に湾曲プラスティック板を用いた例を示している。
本発明の概要については既述したが、本例ではスポンジによるクッション体にて本体を形成しており、さらにこのクッション体をやわらかな布でくるんだ構成としたため、乳児にソフトな感触が得られるものとなっている。
また、哺乳瓶ホルダー部には哺乳瓶を固定するために上面に伸縮性保持ベルトを縫着し、傾斜面にはストッパーを先端部と中間部２箇所に縫着しているので、さまざまな種類の哺乳瓶に対応し、上面の伸縮性保持ベルトと傾斜面の２箇所のストッパーの摩擦により哺乳瓶の滑り落ちを極小とすることが出来、安全に固定することができる。また、伸縮性保持ベルトにはツマミが設けられており、ツマミを引き上げて広がった空隙部に哺乳瓶をスライドさせて挿入し載置するとワンタッチで哺乳瓶の着脱が出来る。
また、哺乳瓶ホルダーは哺乳瓶のサイズで凹部を形成し、頭部載置部に向かって傾斜しているため、哺乳瓶を傾斜に添って前後させることにより哺乳の高さが調節できる。【０００７】  本発明は哺乳瓶ホルダー部が設けられた本体に、頭部載置部を一体に設け、頭部載置部端に凸部を形成しているところにその特徴がある。
頭部載置部端の凸部に乳児の後頭部が位置することにより、哺乳時の安定を得ることが出来る。
従来のようにタオルなどを使用して哺乳瓶を支える場合、乳児の動作によりタオルがずれ、哺乳瓶が落下するなど、安全や安定が図りにくいものである。そのため本発明では、哺乳瓶ホルダー部を設け、側面に頭部載置部を一体に設け、さらに頭部載置部端に凸部を設けて形成し、乳児への安全性及び保持性を高めるための構造としたのである。
なお、本発明では、本体に頭部載置部を一体に設け、頭部載置部端に凸部を設けて形成しているが近似の他の形状によるものでもよい。また、本体はスポンジ製クッション素材をやわらかな覆布でくるんだものであるが、他の素材を用いてもよい。また本例の哺乳瓶ホルダー部は、ビニール製ストッパーと伸縮性保持ベルトを用いて構成されているが、他の素材を用いてもよく、ストッパーは本例のビニール製以外にゴム等を用いてもよく、また固定用に本例では伸縮性保持ベルトを用いたが、ボタンやホック、プラスチック等を用いてもよい。
以上のごとく、本発明によって乳児が単独で安全に哺乳することが出来る乳児哺乳補助枕を得ることが出来る。
【発明の効果】
【０００８】  本発明によれば、乳児の顔側に哺乳瓶が適切な高さで位置し、後頭部側には凸部が設けられ、本発明全体を頭部載置部に載せた頭全体の重量で固定するので安定することとなり、さらに哺乳瓶ホルダー部には傾斜面とビニール製ストッパー、伸縮性保持ベルトを設けているため、乳児に安全に哺乳させることのできる有用なる乳児哺乳補助枕を提供することができる。
【図面の簡単な説明】
【図１】本発明の平面図
【図２】本発明の正面図
【図３】本発明の左側面図
【図４】Ａ−Ａ断面図
【図５】哺乳瓶ホルダー部詳細図
【図６】本発明の使用状況説明図
【図７】哺乳瓶ホルダー部の他例図（マジックテープによる保持）
【図８】哺乳瓶ホルダー部の他例図（スナップボタンによる保持）
【図９】哺乳瓶ホルダー部の他例図（湾曲プラスティック板による保持）
【符号の説明】
１    本体
２    頭部載置部
３    凸部
４    哺乳瓶ホルダー部
５    ストッパー
６    伸縮性保持ベルト
７    ツマミ
８    ポケット
９    マジックテープ
１０  スナップボタン
１１  係止板（湾曲プラスティック板）
【図１】
2005028069.tif 000003
【図２】
2005028069.tif 000004
【図３】
2005028069.tif 000005
【図４】
2005028069.tif 000006
【図５】
2005028069.tif 000007
【図６】
2005028069.tif 000008
【図７】
2005028069.tif 000009
【図８】
2005028069.tif 000010
【図９】
2005028069.tif 000011